(57)【要約】      （修正有）【課題】地震や災害時等の緊急時に簡易トイレとして容易に、安全・安心・衛生的に兼用できるトイレットペーパー包装容器を提供する。【解決手段】直方体に組み立てられたダンボールケース４の一対の外フラッペと一対の内フラッペを内側に折り込んで各々差し込んで水平面９，１０と垂直面１１，１２からなる高強度の開口部を形成させた支持体とし、この支持体に開閉自在な二重構造からなる蓋面を差し込んで固定し、災害等の緊急時には、二重構造の蓋面上部面を開けて、簡易トイレとして兼用できる構造とした。【選択図】図３
0003189134.tif 000002
【実用新案登録請求の範囲】
【請求項１】
直方体に組み立てたダンボールケースからなるトイレットペーパー包装容器において、該ダンボールケースが該ダンボールケースの一対の外フラップと一対の内フラップが各々長辺部に沿って直線状に内側に折り込み水平面と垂直面が形成され、該一対の内フラッペの垂直面の両端の一部を該一対の外フラップの水平面に差し込んで形成された開口部を有する構造の収納容器体部と、該水平面に設けられた差込口に差し込み片を差し込んで固定した開閉自在な二重構造の蓋面とからなることを特徴とするトイレットペーパー包装容器。
【請求項２】
前記開閉自在な二重構造の蓋面の下部面が中央部に前記開口部に対応する開口部と該水平面に設けられた差込口に差し込み固定する差込片を有し、該蓋面の上部面は該下部面に対応する片側開閉自在の開口部を有する閉面構造であることを特徴とする請求項１記載のトイレットペーパー包装容器。
【請求項３】
前記ダンボールケースからなるトイレットペーパー収納容器が防水性の汚物受け具の収納具を有してしている構造であることを特徴とする請求項１又は２記載のトイレットペーパー収納容器。
【考案の詳細な説明】
【技術分野】
【０００１】    本考案はダンボールケースからなるトイレットペーパー包装容器、特に災害等の緊急時には簡易トイレとしても兼用できるトイレットペーパー包装容器に関する。
【背景技術】
【０００２】    ダンボールケースからなるトイレットペーパー等の包装容器は、使用後は廃棄されるか再生溶解処理等が行われていて、効果的に有効利用はされていない。【０００３】    また、災害等が発生した緊急時には、断水などでトイレが使用できなくなり、避難所等で多くの方が困難を強いられている。【０００４】    災害等が発生した緊急時に使用する簡易トイレとしては、開口部と蓋を有した防水性のある箱状の本体内に、水分吸収材を設置した構造の簡易トイレ（例えば特許文献１参照）が提案されている。【０００５】    しかしながら、前記簡易トイレでは、使用者が腰を掛ける座面が狭く、強度も不足している等で使い辛いものであった。
【先行技術文献】
【特許文献】
【０００６】
【特許文献１】  特開２００６−５１２９４号公報
【考案の概要】
【考案が解決しようとする課題】
【０００７】    本考案は、上記した問題点に鑑みてなされたものであって、使用後の包装容器の有効活用と、災害等の緊急時に使用者が容易に腰掛けて、安全で安心して、気持ちよく使用できる簡易トイレの提供を目的とする。
【課題を解決するための手段】
【０００８】    上記目的を達成するために、本考案のダンボールケースからなるトイレットペーパー包装容器は、直方体に組み立てられたダンボールケースの一対の長辺側の外フラッペと短辺側の内フラッペを内側に折り込んで水平面と垂直面を形成させ、内フラッペの両端を外フラッペに差し込んで開口部を形成させ、水平面に設けた差込口に該開口部と同じ開閉自在の開口部を有する二重構造の蓋面を差し込む構造とした。
【考案の効果】
【０００９】    本考案に係るダンボールケースからなるトイレットペーパー包装容器によれば、直方体に組み立てられたダンボールケースの一対の外フラッペと内フラッペを内側に折り込んで水平面と垂直面を形成させ、内フラッペの両端を外フラッペに差し込んだ支持体構造であるので、該水平面は該垂直面と該支持体により支持されているので、使用者が腰を掛けて使用できる十分な強度を有している。【００１０】    また、蓋面は開閉自在な二重構造で、下部面は前記開口部と同じ開口部を有し、上部面は該開口と同じ開閉自在な開口部を有する構造であるので、下部面と上部面の間にダンボールケースに収納されている防水性の汚物受け具を挟んで固定し、簡易トイレとして容易に腰かけて、安全で安心して、気持ちよく使用することができる。
【図面の簡単な説明】
【００１１】
【図１】  本考案の簡易トイレとして兼用できるトイレットペーパー包装容器の一例を示す全体斜視図。
【図２】  本考案のダンボールケースの一例を示す斜視図。
【図３】  本考案の収納容器体部の一例を示す斜視図。
【図４】  本考案の蓋面の下部面の一例を示す底視図。
【図５】  本考案の蓋面の上部面の開口時の一例を示す斜視図。
【考案を実施するための形態】
【００１２】    以下本考案の実施するための最良の形態を具体的に示した実施の形態について、図面を参照しながら説明する。なお、この実施の形態にのみに本考案が限定されるものではない。
【実施例】
【００１３】    図１は、本考案の簡易トイレとして兼用できるトイレットペーパー包装容器の一例を示し、図２は本考案のダンボールケースの一例を示し、図３は本考案の収納容器体部の一例を示し、図４は本考案の蓋面の上部面の一例を示し、図５は本考案の蓋面の下部面の一例を示す。【００１４】    本考案の簡易トイレとして兼用できるトイレットペーパー包装容器１は、図１に示すように、直方体に組み立てたダンボールケース４からなるトイレットペーパーを収納する収納容器体部２とトイレの便座として兼用できる開閉自在な二重構造の蓋面３とから構成される。【００１５】    前記収納容器体部２は、図２に示すように、直方体に組み立てられたダンボールケース４の一対の外フラッペ５と一対の内フラッペ６を各々長辺部の折目７，８に沿って直線状に内側に折り込み各々水平面９，１０と垂直面１１，１２を形成させ、該一対の内フラッペ６の垂直面１２の両端の、該一対の外フラッペの５の水平面９の短辺の長さ部分を該一対の外フラッペ５の水平面９の差込口１３に差し込んで開口部を有する収納容器体部３を形成する。【００１６】    前記収納容器体部３は前記水平面９のみならず、前記垂直面１２及び該水平面９と該垂直面１２の支持体とに支持されているので、使用者が腰を掛けて使用できる十分な強度を有している。【００１７】    つぎに、図３と図４に示すように、前記収納容器体部３の開口部の外辺を構成している一対の外フラッペ５と一対の内フラッペの各々水平面９，１０に各々蓋面３の下部面１４の該収納容器体部２の開口部に対応する開口部の外周近傍に設けた差込片１５，１６を差し込んで該収納容器体３と該蓋面４を固定するための差込口１７，１８を設けて該差込片１５，１６を該差込口１７，１８に差し込んで該収納容器体部２と該蓋面３を固定する構造とした。【００１８】    また、前記蓋面３は、簡易トイレとして兼用する時の強度を増すために、前記収納容器部体２よりも長辺で面積を広くすれば（図示せず）より効果的である。【００１９】    そして、図５に示すように、本考案の簡易トイレとして兼用できるトイレットペーパーの包装容器１の開閉自在な二重構造の前記蓋面３の上部面１９は該下部面１４と同じ片側開閉自在の開口部を有する開閉折目２０を設けた閉面構造とした。【００２０】    さらに、本考案のトイレットペーパー包装容器１は防水性の汚物受け具の収納も可能な構造としたので、災害時等の緊急時に簡易トイレトとして使用する時は、前記開閉自在な二重構造の蓋面３の上部面１９を開いて、下部面１４の開口部に、前記トイレットペーパー包装容器１に設けた汚物受け具収納具（図示せず）より防水性の汚物受け収納具を取り出して、該汚物受け収納具を蓋面３の下部面１４と上部面１９と挟み固定して使用する。
【産業上の利用可能性】
【００２１】    本考案の簡易トイレトとして兼用できるトイレットペーパー包装容器は、トイレットペーパーに限定されることなく、様々な食品、飲料水、衣服、薬品及びその他の生活用品等への応用も可能である。
【符号の説明】
【００２２】    １  トイレットペーパー包装容器
２  収納容器体部
３  蓋面
４  ダンボールケース
５  外フラッペ
６  内フラッペ
７  外フラッペの折目
８  内フラッペの折目
９  外フラッペの水平面
１０  内フラッペの水平面
１１  外フラッペの垂直面
１２  内フラッペの垂直面
１３  外フラッペの水平面の差込口
１４  蓋面の下部面
１５  蓋面の下部面の長辺方向の差込片
１６  蓋面の下部面の短辺方向の差込片
１７  収納容器体部の水平面長辺方向の差込口
１８  収納容器体部の水平面短辺方向の差込口
１９  蓋面の上部面
２０  蓋面の上部面の開閉折目
【図１】
0003189134.tif 000003
【図２】
0003189134.tif 000004
【図３】
0003189134.tif 000005
【図４】
0003189134.tif 000006
【図５】
0003189134.tif 000007